(57)【要約】【課題】  複数機能を持つ被制御機器を複数のユーザが有効利用することができる管理装置、機器制御システム及び機器管理方法を提供する。【解決手段】  管理装置及び機器制御システムは、モニターＡ，Ｂが機能別に分けられた機器情報を保存する機能別機器情報テーブル５０を、また機器Ａ〜Ｃが機能使用情報を保存する機器機能情報テーブル６０を持ち、モニターＡ，Ｂは機能別機器情報テーブル５０を参照して機器の機能及び選択された機能を備える機器をＵＩ画面表示する。使用権を獲得するには、モニターＡ，ＢのＵＩ画面から機能を選択し、モニターＡ，Ｂからの機器の機能に関する使用要求に対して、該当機器が、機器機能情報テーブル６０に保存された機能使用情報を基に、機器の使用可能／不能を判定し、その判定結果をモニターＡ，Ｂに応答する。機能の使用権設定要求を行ったモニターが該当機能の使用可能の応答を受け取ることで使用権を獲得し、使用権を獲得したモニターのみ、その機能を使用できる。【選択図】      図１０
2006042064.tif 000002
【特許請求の範囲】
【請求項１】
制御機器とネットワークを介して接続されるとともに、少なくとも１つの被制御機器と接続可能な管理装置であって、
前記制御機器からの前記被制御機器の機能に関する使用要求に対して、前記被制御機器の機能に対して使用権を設定することを特徴とする管理装置。
【請求項２】
制御機器とネットワークを介して接続されるとともに、少なくとも１つの被制御機器と接続可能な管理装置であって、
前記被制御機器の機能使用情報を記憶する記憶手段と、
前記制御機器からの前記被制御機器の機能に関する使用要求に対して、前記機能使用情報を基に、前記被制御機器の機能に対する使用権を設定する管理手段とを備えることを特徴とする管理装置。
【請求項３】
前記被制御機器の機能使用情報は、機能別に最大使用ユーザ数と使用中ユーザ数と複数の機能が同時に使用できるかどうかの情報を含むことを特徴とする請求項１又は２に記載の管理装置。
【請求項４】
前記管理手段は、前記最大使用ユーザ数と前記使用中ユーザ数とを機能別に比較し、該比較結果と前記複数の機能が同時に使用できるかどうかの情報を基に該機能が使用可能であることを判別して使用権を設定することを特徴とする請求項１乃至３のいずれか一項に記載の管理装置。
【請求項５】
前記制御機器及び／又は前記被制御機器の内部、又は、前記ネットワーク上に設置されることを特徴とする請求項１乃至４のいずれか一項に記載の管理装置。
【請求項６】
前記ネットワークは、ＩＥＥＥ１３９４規格のデジタルインタフェースで機器を接続することを特徴とする請求項１乃至５のいずれか一項に記載の管理装置。
【請求項７】
複数の制御機器と、
前記複数の制御機器とネットワークを介して接続され、該複数の制御機器により制御される少なくとも１つの被制御機器と、
前記複数の制御機器からの前記被制御機器に関する使用要求に対して、使用権を付与する調整を行う管理装置とを備える機器制御システムであって、
前記管理装置は、前記被制御機器の機能に対して使用権を設定し、該使用権を獲得した制御機器が該機能を使用可能であることを特徴とする機器制御システム。
【請求項８】
複数の制御機器と、
前記複数の制御機器とネットワークを介して接続され、該複数の制御機器により制御される少なくとも１つの被制御機器と、
前記複数の制御機器からの前記被制御機器に関する使用要求に対して、使用権を付与する調整を行う管理装置とを備える機器制御システムであって、
前記被制御機器の少なくとも１つは複数の機能を備え、
前記管理装置は、
前記被制御機器の機能使用情報を記憶する記憶手段と、
前記制御機器からの前記被制御機器の機能に関する使用要求に対して、前記機能使用情報を基に、前記被制御機器の機能に対する使用権を設定する管理手段とを備え、
前記使用権を獲得した制御機器が、前記機能を備える被制御機器の該当機能を使用することを特徴とする機器制御システム。
【請求項９】
前記被制御機器の機能使用情報は、機能別に最大使用ユーザ数と使用中ユーザ数と複数の機能が同時に使用できるかどうかの情報を含むことを特徴とする請求項７又は８に記載の機器制御システム。
【請求項１０】
前記管理手段は、前記最大使用ユーザ数と前記使用中ユーザ数とを機能別に比較し、該比較結果と前記複数の機能が同時に使用できるかどうかの情報を基に該機能が使用可能であることを判別して使用権を設定することを特徴とする請求項７乃至９のいずれか一項に記載の機器制御システム。
【請求項１１】
前記制御機器は、ＵＩ画面を表示する表示手段を備え、
前記制御機器のＵＩ画面から前記被制御機器の機能を選択し、さらに選択された機能を備える被制御機器をＵＩ画面に表示し、該ＵＩ画面から前記被制御機器を選択することを特徴とする請求項７乃至１０のいずれか一項に記載の機器制御システム。
【請求項１２】
前記管理装置は、前記制御機器及び／又は前記被制御機器の内部、又は、前記ネットワーク上に設置されることを特徴とする請求項７乃至１１のいずれか一項に記載の機器制御システム。
【請求項１３】
前記ネットワークは、ＩＥＥＥ１３９４規格のデジタルインタフェースで機器を接続することを特徴とする請求項７乃至１２のいずれか一項に記載の機器制御システム。
【請求項１４】
制御機器とネットワークを介して接続されるとともに、少なくとも１つの被制御機器と接続可能な管理装置による前記被制御機器に関する使用権を付与する調整を行う方法であって、
前記被制御機器の機能使用情報を記憶するステップと、
前記制御機器からの前記被制御機器の機能に関する使用要求を受付けるステップと、
前記機能使用情報を基に、前記被制御機器の機能に対する使用権を付与するか否か判定するステップと、
前記機能に関する使用権を要求した制御機器に対して、前記判定結果に従って使用権を付与する又は使用権を付与しない応答を行うステップと
を有する機器管理方法。
【発明の詳細な説明】
【技術分野】
【０００１】
本発明は、機器制御技術に関し、特に、ネットワークを介して接続される複数のＡＶ機器等を制御する管理装置、機器制御システム及び機器管理方法に関する。
【０００２】
なお、ある機器に対してユーザが、映像、音声、データなどを見たり聞いたりすることを「視聴」と、それらに対して独占的に再生、停止などの操作を行うことを「制御」と、視聴と制御のどちらかを行うことを「使用」と、それぞれ定義する。また、ある機器に対して上記の処理を行うことができる権利を、それぞれ「視聴権」、「制御権」、「使用権」、と定義する。
【０００３】
また、表示装置などのＡＶ機器であって他のＡＶ機器を制御可能な機器を「制御機器」と、該制御機器により制御されるＨＤＤ／ＤＶＤレコーダ，チューナなどのＡＶ機器を「被制御機器」と定義する。
【背景技術】
【０００４】
機器制御技術及び機器間のネットワークを介した制御技術の発展に伴って、異なるエリア毎にそれぞれ設置された機器を有線又は無線ネットワークにより接続し、複数のユーザが特定の機器を共用することも可能になっている。しかしながら、１つの機器を複数のユーザにより共通に利用する場合、あるユーザが機器を用いている最中に、別のユーザが突然その機器を制御することによる混乱が生じる可能性がある。
【０００５】
このような問題を解決するために、例えば、各エリア（部屋）に操作装置を設け、操作装置において、リモコンから受信した制御データに、自装置に割り当てられたＩＤデータを付加した制御データを作成し、別の部屋に設けられた被制御機器を制御する制御装置に送信するシステムが考えられる。制御装置は、制御データに含まれるＩＤデータを識別し、最初に操作を開始したユーザ以外の者による操作は無効とすることにより、最初に操作を開始したユーザにとって不都合がないようにしている。また、予め登録されたＩＤ以外のＩＤを持つ操作装置からの操作指令を無効にする制御を行うことが提案されている（特許文献１参照）。
【０００６】
また、ユーザが使用するリモコンに優先選択できる選択キーを設け、複数のユーザが同時にＡＶ情報送出要求コマンドを送信しても、コマンドを受信する受信装置で優先権があるコマンドを優先的に実行することにより、二人のユーザの要求が重なったときに時間的優先権に基づく操作権を無視する優先権選択機能が提案されている（特許文献２参照）。これらの技術により、複数のユーザが同時に１つの機器を操作して混乱を生じさせることがなくなる。
【０００７】
図１６は、従来方式の機器制御システムを説明する図である。
図１６（ａ）において、機器制御システム１００は、ＡＶデータを視聴するモニター（表示装置）Ａ１１０，Ｂ１２０と、モニターＡ１１０，Ｂ１２０間及びモニターＡ１１０と制御線１５０により接続され、モニターＡ１１０，Ｂ１２０とのデータのやり取りをする機器Ａ２１０，Ｂ２２０，Ｃ２３０とを備える。機器Ａ２１０，Ｂ２２０，Ｃ２３０は、衛星放送用チューナやビデオデッキなどのＡＶデータのソース機器、例えば、機器Ａ２１０は、衛星放送用チューナ、機器Ｂ２２０は、ＡＶＨＤＤ記録装置、機器Ｃ２３０は、ＤＶＤ記録再生装置である。
【０００８】
図１６（ｂ）に示すように、機器Ａ２１０，Ｂ２２０，Ｃ２３０のある機能を使用したい場合、ユーザはモニターＡ１１０，Ｂ１２０のＵＩ（User Interface）画面から機器を選択し、その後機能を選択する。図１６（ａ）の番号１５１は、モニターＡ１１０のＵＩ画面により機器Ａ２１０を選択する機器選択動作を示す。
ところが従来方式では、複数モニターからの選択、操作を行う場合以下のような問題がある。
【０００９】
図１７は、上記従来方式の機器制御システムの問題点を説明する図である。図１７（ｂ）は、モニターＡ１１０の機器選択メニューのＵＩ画面を、図１７（ｃ）は、モニターＢ１２０の機器選択メニューのＵＩ画面をそれぞれ示す。ＵＩ画面により機器を選択した場合、選択した機器に選択していることを表すマーク（●）が表示される。
【００１０】
図１７（ａ）に示すように、機器操作機能がある複数のモニターＡ１１０，Ｂ１２０が、ひとつの機器（ここでは機器Ａ２１０）を選択すると、どちらからも操作できてしまい（番号１６１，１６２参照）、ユーザの機器制御の混乱を招く。例えば、あるユーザがモニターＡ１１０により機器Ａ２１０を用いている最中に、別のユーザがモニターＢ１２０により突然その機器Ａ２１０を制御することによる混乱が生じる可能性がある。
【００１１】
そこで、本出願人は、機器に使用権を設定し、使用権を獲得したモニターからのみ、操作を受け付けることで、多数のユーザにとって使い勝手の良い機器制御技術を提供できるシステムを既に出願した（特願２００３−３１８７８７号参照）。
【００１２】
図１８は、上記先願の機器制御システムの概要を説明する図である。
図１８（ａ）において、機器制御システム３００は、ＡＶデータを視聴するモニターＡ３１０，Ｂ３２０と、モニターＡ３１０，Ｂ３２０間及びモニターＡ３１０と制御線１５０により接続され、モニターＡ３１０，Ｂ３２０とのデータのやり取りをする機器Ａ４１０，Ｂ４２０，Ｃ４３０とを備える。モニターＡ３１０，Ｂ３２０及び機器Ａ４１０，Ｂ４２０，Ｃ４３０の内部には、機器使用情報を記憶する機器情報記憶部と、機器情報記録部へ入力データの書き込みを行うとともに、機器情報記録部から必要なデータの読み出しを行い、データを制御コマンドに付加して制御データとして管理する制御データ管理部とを備える。図１８（ｂ）は、機器情報記憶部に保存される機器使用情報（ここでは機器Ａ４１０の機器使用情報）の一例と、この機器使用情報を使用してモニターＢ３２０の制御データ管理部が行う制御の一例を示している。また、図１８（ｃ）は、モニターＡ３１０の機器選択メニューのＵＩ画面を、図１８（ｄ）は、モニターＢ３２０の機器選択メニューのＵＩ画面をそれぞれ示す。ＵＩ画面により機器を選択した場合、選択した機器に選択していることを表すマーク（●）が表示され、機器を選択できない場合、機器を選択できないことを表すマーク（×）が表示される。
【００１３】
図１８（ｂ）に示すように、機器Ａ４１０の機器使用情報として、最大使用ユーザ数：１，使用中ユーザ数：１が保存されている場合を考える。この場合は、モニターＡ３１０が既に機器Ａ４１０を使用中であり、最大使用ユーザ数＝使用中ユーザ数であるため、モニターＢ３２０は、機器Ａ４１０が使用できないと判断する。このように、機器に使用権を設定し、使用権を獲得したモニターからのみ、操作を受け付ける。モニターＡ３１０は、機器Ａ４１０を使用可能であり（番号３５１参照）、モニターＢ３２０は、機器Ａ４１０を使用不能である（番号３５２参照）。なお、機器Ａ４１０が使用不能であることは、図１８（ｄ）のモニターＢ３２０のＵＩ画面に表され、ユーザはこの表示を見て機器Ａ４１０を使用できないことを知る。
【００１４】
したがって、機器に使用権が設定されているので、機器操作機能があるモニターＡ３１０，Ｂ３２０が、ひとつの機器を選択したとしても、重複して操作される不具合が回避される。
【特許文献１】特開２０００−１９７１６４号公報
【特許文献２】特開平４−１８８３１号公報
【発明の開示】
【発明が解決しようとする課題】
【００１５】
ところで、ＡＶ機器の多機能化にともなって、モニターＡ３１０，Ｂ３２０に接続される機器Ａ４１０，Ｂ４２０，Ｃ４３０が複数の機能を持つことが考えられる。
【００１６】
図１９は、複数機能を持つ機器の機器制御システムの概要を説明する図である。図１８と同一構成部分には同一符号を付している。
【００１７】
いま、図１９の機器Ａ４１０が複数機能（例えば、チューナ機能及びＡＶＨＤＤ記録再生機能）を持つ機器であるとする。この機器Ａ４１０に使用権が設定されるので、図１８の場合と同様に、モニターＡ３１０，Ｂ３２０によって重複操作されることはない。しかし、機器Ａ４１０は、チューナ機能とＡＶＨＤＤ記録再生機能（以下、ＡＶＨＤＤ機能という）の複数機能を持っている機器であるため、上記のように機器Ａ４１０に使用権が設定されると、使用していない機能を含めてその機器自体の使用ができなくなる。図１９の例では、モニターＡ３１０が使用権を獲得したことにより、機器Ａ４１０のすべての機能を使用することができることになる。いま、モニターＡ３１０が使用したい機能は機器Ａ４１０のＡＶＨＤＤ機能であり（番号４５１参照）、機器Ａ４１０の他の機能（チューナ機能）は使用しない。一方、モニターＢ３２０は、機器Ａ４１０のチューナ機能を利用したくても、モニターＡ３１０が機器Ａ４１０を使用しているため、機器Ａ４１０が使用できず、複数機能を持つ機器Ａ４１０のチューナ機能を使用することができない（番号４５２参照）。このように、複数機能を持つ機器と、該機器の操作機能がある複数のモニターとを備えていながら、１台のモニターがある機能を使用しているとき、他のモニターは未使用の機能を使用できないという問題がある。
【００１８】
本発明は、複数機能を持つ被制御機器を複数のユーザが有効利用することができる管理装置、機器制御システム及び機器管理方法を提供することを目的としている。
【課題を解決するための手段】
【００１９】
本発明の一観点によれば、制御機器とネットワークを介して接続されるとともに、少なくとも１つの被制御機器と接続可能な管理装置であって、前記制御機器からの前記被制御機器の機能に関する使用要求に対して、前記被制御機器の機能に対して使用権を設定する管理装置が提供される。
【００２０】
また、本発明によれば、制御機器とネットワークを介して接続されるとともに、少なくとも１つの被制御機器と接続可能な管理装置であって、前記被制御機器の機能使用情報を記憶する記憶手段と、前記制御機器からの前記被制御機器の機能に関する使用要求に対して、前記機能使用情報を基に、前記被制御機器の機能に対する使用権を設定する管理手段とを備える管理装置が提供される。
【００２１】
本発明の他の観点によれば、複数の制御機器と、前記複数の制御機器とネットワークを介して接続され、該複数の制御機器により制御される少なくとも１つの被制御機器と、前記複数の制御機器からの前記被制御機器に関する使用要求に対して、使用権を付与する調整を行う管理装置とを備える機器制御システムであって、前記管理装置は、前記被制御機器の機能に対して使用権を設定し、該使用権を獲得した制御機器が該機能を使用可能である機器制御システムが提供される。
【００２２】
また、本発明によれば、複数の制御機器と、前記複数の制御機器とネットワークを介して接続され、該複数の制御機器により制御される少なくとも１つの被制御機器と、前記複数の制御機器からの前記被制御機器に関する使用要求に対して、使用権を付与する調整を行う管理装置とを備える機器制御システムであって、前記被制御機器の少なくとも１つは複数の機能を備え、前記管理装置は、前記被制御機器の機能使用情報を記憶する記憶手段と、前記制御機器からの前記被制御機器の機能に関する使用要求に対して、前記機能使用情報を基に、前記被制御機器の機能に対する使用権を設定する管理手段とを備え、前記使用権を獲得した制御機器が、前記機能を備える被制御機器の該当機能を使用する機器制御システムが提供される。
【００２３】
より好ましい具体的な態様として、前記被制御機器の機能使用情報は、機能別に最大使用ユーザ数と使用中ユーザ数と複数の機能が同時に使用できるかどうかの情報を含むものである。
【００２４】
また、前記管理手段は、前記最大使用ユーザ数と前記使用中ユーザ数とを機能別に比較し、該比較結果と前記複数の機能が同時に使用できるかどうかの情報を基に該機能が使用可能であることを判別して使用権を設定する。
【００２５】
より好ましい具体的な態様として、前記制御機器は、ＵＩ画面を表示する表示手段を備え、前記制御機器のＵＩ画面から前記被制御機器の機能を選択し、さらに選択された機能を備える被制御機器をＵＩ画面に表示し、該ＵＩ画面から前記被制御機器を選択する。
【００２６】
前記管理装置は、前記制御機器及び／又は前記被制御機器の内部、又は、前記ネットワーク上に設置されるものであってもよい。
【００２７】
前記ネットワークは、１３９４規格のデジタルインタフェース（例えば、１３９４規格の高速シリアルバス）で各種機器を接続するものであることで、制御線が１本で済み配線が容易になる。
【００２８】
本発明の別の観点によれば、制御機器とネットワークを介して接続されるとともに、少なくとも１つの被制御機器と接続可能な管理装置による前記被制御機器に関する使用権を付与する調整を行う方法であって、前記被制御機器の機能使用情報を記憶するステップと、前記制御機器からの前記被制御機器の機能に関する使用要求を受付けるステップと、前記機能使用情報を基に、前記被制御機器の機能に対する使用権を付与するか否か判定するステップと、前記機能に関する使用権を要求した制御機器に対して、前記判定結果に従って使用権を付与する又は使用権を付与しない応答を行うステップとを有する機器管理方法が提供される。
【発明の効果】
【００２９】
本発明の管理装置及び機器制御システムでは、機器の機能に使用権を設定しているので、機器のある機能が使用されている場合であっても、使用されていない他の機能の使用権を獲得して使用することができ、複数の機能を持つ機器のすべての機能を有効利用することができる。したがって、既に機器を使用しているユーザがいた場合でも、使用していない機能については、他のユーザが使用することができ、多数のユーザにとって満足度が高いシステムを提供することができる。
【発明を実施するための最良の形態】
【００３０】
以下、添付図面を参照しながら本発明の好適な管理装置、機器制御システム及び機器管理方法の実施の形態について詳細に説明する。
【００３１】
図１は、本発明の実施の形態の機器制御システムの全体構成を示すブロック図である。本実施の形態に係る機器制御システムは、複数のＡＶ機器がネットワークに接続され、１つの被制御機器を複数のユーザが利用し、ＡＶデータ（映像・音声データ）を視聴するシステムであり、例えばデジタル放送の電波を受信可能なデジタル放送受信装置能を備えたテレビジョン受信装置に適用することができる。
【００３２】
図１において、機器制御システムは、例えば各ルームに設置され、直接ユーザがインタラクションをし、ＡＶデータを視聴する表示装置１０ａ，１０ｂと、表示装置１０ａ，１０ｂとデータのやり取りをする受信装置２０ａ，２０ｂと、表示装置１０ａ，１０ｂ及び受信装置２０ａ，２０ｂに光信号である赤外線２を送出して遠隔操作するリモコン装置１ａ，１ｂと、受信装置２０ａ，２０ｂとネットワーク３により接続されてデータのやり取りをする送信装置３０ａ〜３０ｃと、送信装置３０ａ〜３０ｃと制御線４により接続され、ＡＶデータを送出する被制御機器４０ａ〜４０ｃとから構成される。
【００３３】
上記表示装置１０ａ、受信装置２０ａ及びリモコン装置１ａは、モニターＡを、表示装置１０ｂ、受信装置２０ｂ及びリモコン装置１ｂは、モニターＢを構成する。また、上記送信装置３０ａ及び被制御機器４０ａは、モニターＡ，Ｂが制御する機器Ａを、送信装置３０ｂ及び被制御機器４０ｂは、モニターＡ，Ｂが制御する機器Ｂを、送信装置３０ｃ及び被制御機器４０ｃは、モニターＡ，Ｂが制御する機器Ｃをそれぞれ構成する。
【００３４】
モニターＡ，Ｂ（制御機器）及び機器Ａ〜Ｃ（被制御機器）は、具体的には、ＩＥＥＥ１３９４（Institute of Electrical and Electronic Engineers 1394、以下、単に１３９４とする）規格による機器に接続されるＡＶ機器である。また、１３９４規格を利用してＡＶ機器（ＢＳデジタルチューナ、ＤＶＨＳデッキ、デジタルビデオカメラ等）間をネットワーク接続したり、家電を相互にネットワーク接続したりする場合を想定している。
【００３５】
モニターＡとモニターＢ、及び機器Ａ〜Ｃは、それぞれが壁によって隔てられたroomに設置されるものでもよい。そしてモニターＡ又はモニターＢは、壁によって隔てられたroomに設置された機器Ａ〜Ｃを制御することができる。機器Ａ〜Ｃの少なくとも１つは複数の機能を備える機器である。ここでは、機器Ａは、衛星放送用チューナ機能とＡＶＨＤＤ記録再生機能との２つの機能を持つものである。
【００３６】
モニターＡ，Ｂは、受信装置２０ａ，２０ｂからネットワーク３を通じて、機器Ａ〜Ｃの送信装置３０ａ〜３０ｃに制御データを伝送し、この制御データは制御線４を通じて被制御機器４０ａ〜４０ｃに伝送される。一方、ＡＶデータは、被制御機器４０ａ〜４０ｃより制御線４を通じて送信装置３０ａ〜３０ｃに伝送され、送信装置３０ａ〜３０ｃからネットワーク３を通じて、ネットワーク３に接続されたすべての受信装置２０ａ，２０ｂに送信される。受信装置２０ａ，２０ｂで受信したＡＶデータは、表示装置１０ａ，１０ｂにより表示される。
【００３７】
ネットワーク３は、ＩＥＥＥ規格のデジタルインタフェースで各種機器を接続するネットークであり、上記受信装置２０ａ，２０ｂ及び送信装置３０ａ〜３０ｃをそれぞれ任意の台数、接続することができる。ネットワーク３は、１３９４規格に限らず、受信装置２０ａ，２０ｂ及び送信装置３０ａ〜３０ｃの間を結ぶ、イーサーネット（Ethernet）等によるデータ通信手段を総称する概念である。また、ネットワーク３のアクセス回線としては、ＦＴＴＨ（Fiber To The Home）、ＨＦＣ（Hybrid Fiber Coax：光同軸ケーブル）、及びＡＤＳＬ（Asymmetric Digital Subscriber Line）等の大容量回線が利用可能である。さらに、ネットワーク３は、無線ＩＥＥＥ１３９４ネットワークであってもよい。例えば、無線の１３９４バスをネットワークとして接続する方式の一例として、１３９４バスを広帯域無線上に実現する、Ｗｉｒｅｌｅｓｓ１３９４、１３９４ｏｖｅｒ８０２．１１などの無線通信プロトコルを用いることにより、無線上で１３９４バスを構築するものに適用できる。また、パケット伝送によらないデータ伝送システムにも同様に適用可能である。
【００３８】
モニターＡ，Ｂは、ネットワーク３を通じて被制御機器４０ａ〜４０ｃを制御することができる。このモニターＡ，Ｂによる被制御機器４０ａ〜４０ｃの制御には、被制御機器４０ａ〜４０ｃそのものを制御する場合のほか、被制御機器４０ａ〜４０ｃが複数の機能を持つ機器である場合、各機能を個別に制御する場合を含む。本例は、被制御機器４０ａ〜４０ｃが、複数の機能を持ち、そのそれぞれの機能を別々のモニターＡ，Ｂから操作することを可能にするものである。
【００３９】
被制御機器４０ａ〜４０ｃは、例えば、衛星放送用チューナやＤＶＨＳデッキ、ＨＤＤ／ＤＶＤ録画再生装置などのＡＶデータのソース機器である。ＤＶＨＳデッキは、ＨＤ映像を供給可能なＢＳ／ＣＳ，地上波デジタルチューナやＨＤ映像を記録再生可能なＨＤＤレコーダを含む。さらに、１３９４規格を利用した種々のＡＶ機器、例えばＭＰＥＧ（Moving Picture Experts Group-Transport Stream）２のＨＤＤ映像記録再生装置である。
【００４０】
また、被制御機器４０ａ〜４０ｃは、チューナとＡＶＨＤＤ記録再生装置のように複数機能を備えるものでもよい。
【００４１】
受信装置２０ａ，２０ｂにおいて受信されたＡＶデータは、それぞれ対応する表示装置１０ａ，１０ｂにおいて表示される。ここで、ネットワーク３は無線、あるいはＩＥＥＥ１３９４高速シリアルバスで構成される。ネットワーク３を無線ＬＡＮなどにより構成すれば、各装置間をケーブルで繋ぐ必要がなく便利である。有線で繋ぐ場合でも、ＩＥＥＥ１３９４高速シリアルバスなどを用いると、大量のＡＶデータの伝送が可能となる。また制御線４をＩＥＥＥ１３９４高速シリアルバスにすることで、制御線４は１本ですみ配線が簡素化される。
【００４２】
図２は、上記モニターＡ，Ｂの表示装置１０ａ，１０ｂ及び受信装置２０ａ，２０ｂの構成例を示すブロック図である。上記表示装置１０ａ，１０ｂは、同一構成でありこれらを総称して表示装置１０と呼ぶ。同様に、受信装置２０ａ，２０ｂは、同一構成でありこれらを総称して受信装置２０と呼ぶ。
【００４３】
表示装置１０は、ＡＶデータ入力部１１と、ＡＶデータ表示部１２とを有し、受信装置２０から出力されたＡＶデータはＡＶデータ入力部１１に入力され、ＡＶデータ表示部１２（表示手段）に表示される。
【００４４】
受信装置２０は、リモコン受光部２１、制御データ管理部２２（管理手段）、受信機情報記録部２３（記憶手段）、ＧＵＩ（Graphical User Interface）画面合成部２４、ＡＶデータ出力部２５、制御データ送受信部２６、ＡＶデータ受信部２７、及びネットワーク送受信部２８を備えて構成される。
【００４５】
上記リモコン装置１は、ユーザからの指示・入力を受け付けるＵＩ（User Interface）部の一部を構成し、リモコン受光部２１により受光したユーザの指示を制御データ管理部２２へ伝達する。
【００４６】
リモコン受光部２１は、リモコン装置１と赤外線を利用してデータを伝送するための規格、ＩｒＤＡ（Infrared Data Association），ＡＳＫ等に準拠して光通信を行うためのＩ／Ｏポートである。なお、赤外線に代え、電波による無線通信を行う態様であってもよい。リモコン装置１から送信された赤外線２は、リモコン受光部１１で受信される。
【００４７】
リモコン受光部２１は、ユーザが操作するリモコン１から送信された赤外線２を受信して対応する制御コマンドに変換する。この制御コマンドは、制御データ管理部２２に送られる。制御データ管理部２２は、受信装置情報記録部２３へ入力データの書き込みを行うとともに、受信装置情報記録部２３から必要なデータの読み出しを行い、データを制御コマンドに付加して制御データとして制御データ送受信部２６に送る。制御データ送受信部２６から制御データを受け取った場合に、受信装置情報記録部２３へ必要なデータの書き込みを行う。いずれの場合も、必要に応じてＧＵＩ画面合成部２４へ情報を送る。
【００４８】
特に、制御データ管理部２２は、後述する機器Ａ〜Ｃの送信装置３０の制御データ管理部３３（図４）と協働して、機能に対する使用権を設定する管理装置としての機能を有する。管理装置としてみた場合、制御データ管理部２２は、機器情報取得、機器の機能のＵＩ画面表示、機器の機能選択要求／応答受信、使用権獲得、機能別機器情報テーブル５０（図３）及び機器機能情報テーブル６０（図５）更新、ＵＩ画面更新、の各管理制御を行う。
【００４９】
図３は、モニターＡ，Ｂが持つ機能別機器情報テーブル５０の一例であり、受信装置情報記録部２３に保存される。本例では、機能別機器情報テーブル５０を受信装置２０の受信装置情報記録部２３に保存しているがモニターＡ，Ｂのどこに設置されるものでもよい。
【００５０】
機能別機器情報テーブル５０は、モニターＡ，Ｂによって操作される機器Ａ〜Ｃについて、機能別に分けられた機器情報を保存する。この機能は、機器Ａ〜Ｃが持つ機能であり、例えばチューナ、ＡＶＨＤＤ記録再生、ビデオデッキ等の機能である。この場合、チューナは、衛星放送用チューナ、地上デジタルチューナなどに、またＡＶＨＤＤ記録再生は、ＨＤ（High Definition）記録再生又はＳＤ（Standard Definition）記録再生専用など、更に細分化された機能に分類される。図３の「機能１」「機能２」「機能３」…は、このような衛星放送用チューナ機能、ＡＶＨＤＤ機能等の各機能を示している。この機能に対して、該当する機能を持つ機器の数「機器数」と、各機器の詳細な情報「機器情報」とを格納する。機器情報は、機器の名前「機器名」、メーカーの名前（必須ではない）「メーカー名」、ユーザが機器を選択しているかどうかの情報を示すフラグ「選択中フラグ」、現在その機器の機能を使用することができるかどうかの情報を示すフラグ「使用可能フラグ」を持つ。このように、機能別機器情報テーブル５０は、機能別に分けられた機器情報を保存するものであるため、ある機器が複数の機能を持つ場合、機能ごとに同一の機器情報が重複して登録される。例えば、図１の機器Ａがチューナ及びＡＶＨＤＤ機能を備える場合、機能別機器情報テーブル５０には、機能１（チューナ機能と仮定する）及び機能２（ＡＶＨＤＤ機能と仮定する）のそれぞれに機器Ａの機器情報（機器名、メーカー名、選択中フラグ、使用可能フラグ）が格納される。
【００５１】
なお、新たな被制御機器がネットワーク３に接続された場合や取り外された場合など、システム構成に変更があった場合には、制御データ管理部２２により機能別機器情報テーブル５０の内容が書き換えられる。機能別機器情報テーブル５０内容の更新については、図８により後述する。
【００５２】
図２に示すＧＵＩ画面合成部２４は、制御データ管理部２２から得た情報に基づいて、ネットワーク３に接続されている被制御機器４０ａ〜４０ｃの情報を表示したり、ユーザの情報を入力したりするために文字入力や項目選択ができるＧＵＩを生成し、ＡＶデータ受信部２７から送られたＡＶデータに合成する。ＧＵＩと合成されたＡＶデータは、ＡＶデータ出力部２５へ送られる。ＡＶデータ出力部２５から、ＧＵＩと合成されたＡＶデータが表示装置１０に出力される。ユーザは表示装置１０に表示されたＧＵＩ画面を見ながらリモコン装置１を操作し、所望の入力を行うことができる。
【００５３】
制御データ送受信部２６は、制御データ管理部２２とネットワーク送受信部２８との間で制御データのやり取りを行う。ＡＶデータ受信部２７は、ネットワーク送受信部２８よりＡＶデータを受け取る。ネットワーク送受信部２８は、ネットワーク３を介して送信装置３０ａ〜３０ｃや他の受信装置２０と制御データの送受信を行う。制御データの受け渡しは制御データ送受信部２６が行う。また、ネットワーク送受信部２８は、送信装置３０ａ〜３０ｃからＡＶデータを受信し、ＡＶデータ受信部２７に送る。
【００５４】
図４は、上記機器Ａ〜Ｃの送信装置３０ａ〜３０ｃ及び被制御機器４０ａ〜４０ｃの構成例を示すブロック図である。上記送信装置３０ａ〜３０ｃは、同一構成でありこれらを総称して送信装置３０と呼ぶ。一方、被制御機器４０ａ〜４０ｃは、機器ごとに構成が異なる。いま、複数の機能を持つ機器Ａの被制御機器４０ａを被制御機器４０として代表して説明する。
【００５５】
送信装置３０は、ネットワーク送受信部３１、制御データ送受信部３２、制御データ管理部３３（管理手段）、送信機情報記録部３４（記憶手段）、制御データ入出力部３５、ＡＶデータ送信部３６、及びＡＶデータ入力部３７を備えて構成される。
【００５６】
ネットワーク送受信部３１は、ネットワーク３を介して受信装置２０ａ，２０ｂとの間で制御データの送受信を行う。制御データの受け渡しを制御データ送受信部３２との間で行い、ＡＶデータ送信部３６から受け取ったＡＶデータを、受信装置２０ａ，２０ｂへ送信する。制御データ送受信部３２は、制御データ管理部３３とネットワーク送受信部３１との間で制御データのやり取りを行う。
【００５７】
制御データ管理部３３は、送信機情報記録部３４へ入力データの書き込みを行い、被制御機器４０への制御データを制御データ入出力部３５に送り、送信機情報記録部３４から必要なデータの読み出しを行い、制御データとして制御データ送受信部３２に送る。
【００５８】
特に、制御データ管理部３３は、モニターＡ，Ｂの受信装置２０の制御データ管理部２２と協働して、機能に対する使用権を設定する管理装置としての機能を有する。管理装置としてみた場合、制御データ管理部３３は、機器選択要求に対する応答、機能情報通知、機器の機能選択要求／応答受信、機器の使用可能／不能判定、使用可能／不能応答、機器機能情報テーブル６０、の各管理制御を行う。
【００５９】
図５は、モニターＡ，Ｂにより操作される機器が持つ機器機能情報テーブル６０の一例であり、送信機情報記録部３４に保存される。本例では、機器機能情報テーブル６０を送信装置３０の送信機情報記録部３４に保存しているが機器のどこに設置されるものでもよい。
【００６０】
機器機能情報テーブル６０は、機能別の個別使用情報と同時使用情報とを保存する。個別使用情報は、各機能別に、その機能を使用できるユーザの最大数「最大使用ユーザ数」と、その機能を現在使用しているユーザ数「使用中ユーザ数」と、最大使用ユーザ数＞使用中ユーザ数の場合はＯＫ，それ以外の場合はＮＧを示すフラグ「使用可能フラグ」とを有する。上記最大使用ユーザ数は、あらかじめデフォルト値が設定されている。また、上記使用中ユーザ数は、ユーザによって機能が選択されると増加、使用が停止されると減少する。例えば、図５の個別使用情報の機能１では、最大使用ユーザ数が１、使用中ユーザ数が０であるため使用可能フラグはＯＫである。一方、同時使用情報は、機器が複数の機能を持つ場合、機能同士を同時に使用することができるかどうかを表すフラグであり、同時に使用することができる場合はＯＫ，同時に使用できない場合はＮＧの値を持つ。
【００６１】
制御データ入出力部３５は、制御線４を介して被制御機器４０と制御データの送受信を行う。制御データの受け渡しは制御データ管理部３３との間で行う。ＡＶデータ送信部３６は、ＡＶデータ入力部３７から受け取ったＡＶデータを、ネットワーク送受信部３１に送る。ＡＶデータ入力部３７は、被制御機器４０よりＡＶデータを受信し、ＡＶデータ送信部３６に送る。
【００６２】
被制御機器４０は、制御データ入出力部４１、制御データ管理部４２、機器情報記録部４３、ＡＶデータ出力部４４、ＡＶデータ再生部４５、ＡＶデータ記録部４６、及びチューナ４７を備えて構成される。上記ＡＶデータ再生部４５及びＡＶデータ記録部４６は、機器ＡのＡＶＨＤＤ記録再生部に対応し、チューナ４７は機器Ａのチューナ部に対応する。
【００６３】
被制御機器４０の制御データ入出力部４１は、制御線４を介して送信装置３０との間で制御データの送受信を行う。制御データの受け渡しは制御データ管理部４２との間で行う。制御データ管理部４２は、機器情報記録部４３から機器情報データを読み出し、制御データとして制御データ入出力部４１に送る。また、制御データ入出力部４１から受け取った制御データを、制御コマンドに変換してＡＶデータ再生部４５及びチューナ４７に送る。機器情報記録部４３には、機器情報が格納されている。格納されている機器情報の例として、被制御機器名、被制御機器ＩＤ、機器名、ＡＶデータを暗号化するときの認証キーなどが含まれる。ＡＶデータ出力部４４は、ＡＶデータ再生部４５からＡＶデータを受信し、送信装置３０ａ〜３０ｃに出力する。ＡＶデータ記録部４６には、ＡＶデータが記録されている。ＡＶデータ再生部４５は、制御データ管理部４２からの制御コマンドに従い、ＡＶデータ記録部４６に記録されているＡＶデータの再生を行う。また、チューナ４７は、制御データ管理部４２からの制御コマンドに従い、放送信号の受信・選局を行う。
【００６４】
以下、上述のように構成された機器制御システムの動作を説明する。
図１８に示す先願（特願２００３−３１８７８７号参照）では、機器に使用権を設定し、使用権を獲得したモニターからのみ、操作を受け付けていた。しかし、機器の多機能化に伴って、ひとつの機器が、複数の機能を持ち、そのそれぞれの機能を別々のモニターから操作することが可能である場合、１台のモニターがある機能を使用しているとき、他のモニターは未使用の機能を使用できない（図１９参照）。
【００６５】
そこで、本機器制御システムは、機器に使用権を設定するのではなく、機器の機能に対して使用権を設定し、使用権を獲得したモニターのみ、その機能を使用できるようにするものである。そのために、基本的に以下の方法をとる。
（１）モニターＡ，Ｂによりコントロールされる機器Ａ〜Ｃは、機能別に最大使用ユーザ数と使用中ユーザ数と複数の機能が同時に使用できるかどうかの機能使用情報を機器機能情報テーブル６０に保存する。また、モニターＡ，Ｂは、機能別の機器情報を機能別機器情報テーブル５０に保存する。各テーブル５０，６０は、機器接続時又は機能選択時等に更新される。
【００６６】
（２）モニターが機能別機器情報テーブル５０を参照して表示装置１０に機器の機能をＵＩ画面表示する。ユーザがリモコン装置１により機能を選択すると、選択した機能を備える機器をＵＩ画面表示する。このＵＩ画面には、機器の選択ができる／できないを示す情報についても表示する。
【００６７】
（３）選択された機能を備える機器が使用できるか否かの判定は、モニターからの機器の機能に関する使用要求に対して、該当機器が、機器機能情報テーブル６０に保存された機能使用情報を基に、機器の使用可能／不能を判定し、その判定結果をモニターに応答する。モニターはこの応答を基に機能別機器情報テーブル５０を更新し、さらに前記機能を備える機器のＵＩ画面を更新する。機器機能情報テーブル６０更新及び機能選択の成否判定処理については図８により後述する。
【００６８】
（４）使用権を獲得するには、ユーザがリモコン装置１によりモニターのＵＩ画面から機能を選択し、さらに選択された機能を備える機器をＵＩ画面に表示し、このＵＩ画面から機器を選択する。モニターからの機器の機能に関する使用要求に対して、上記（３）と同様に、該当機器が、機器機能情報テーブル６０に保存された機能使用情報を基に、機器の使用可能／不能を判定し、その判定結果をモニターに応答する。機能の使用権設定要求を行ったモニターが該当機能の使用可能の応答を受け取ることで使用権を獲得し、使用権を獲得したモニターのみ、その機能を使用できる。また、機能別機器情報テーブル５０を更新し、さらに前記機能を備える機器のＵＩ画面を更新することで、他のモニターには当該機能を備える機器の選択ができないことを表示する。
【００６９】
このように、モニターからの機器の機能に関する使用要求に対して、機器は前記機能使用情報を基に使用可能／不能を判定し、その判定結果をモニターに応答することで、モニターに対して機器の機能に対する使用権を付与する。また、モニターは使用権を獲得する。この使用権の付与と使用権の獲得を合わせて、機能に対する使用権の設定という。
【００７０】
なお、説明を分りやすくするため上記（３）の機能選択の成否判定を独立して示したが、実際には上記（４）の使用権の獲得に包含されている。
【００７１】
また、本機器制御システムは、機器の機能に対して使用権を設定するところに特徴があり、機能に対して使用権を設定できるものであればよく、テーブル５０，６０の保存場所、機能選択のシーケンス制御、機能選択要求／応答、機能選択の成否判定などはモニターと機器のどちら側にも、さらにはネットワーク３上に管理装置として持たせることも可能である。なお、後述する図１５では、上記機能に対する使用権の設定を一元的に管理する管理装置をネットワーク３上に設置する例を示している。
【００７２】
次に、本機器制御システムの操作について説明する。
処理の動作の詳細は以下の通りであり、機器接続動作と機能選択動作とに分けられる。機器接続は、モニターＡ，Ｂに接続された機器Ａ〜Ｃが、どのような機能を持っているかを認識する。また、機能選択は、モニターＡ，Ｂに接続された機器Ａ〜Ｃの、任意の機能を選択して使用する。
【００７３】
〔機器接続〕
図６は、本実施の形態による機器制御システムの機器接続シーケンスを示す図である。ここでは、機器Ａ、機器Ｂ、及びモニターＡがＩＥＥＥ１３９４規格による機器接続（以下、１３９４接続という）されているときに、モニターＢを接続した場合に、モニターＢから見た機器接続処理の動作を示している。なお、モニターＡの処理は省略している。
【００７４】
１．  モニターＢがネットワーク３に接続されることにより、モニターＢは機器Ａと接続される（番号７０参照）。この状態で、ノードの抜き差しによってバスリセット発生したとする（番号７１参照）。
【００７５】
ＩＥＥＥ１３９４バスを含むシステムでは、接続機器の増減、バスリセット発生時などに、コンフィグレーションプロセスが起動され、バスの初期化、ツリーの識別、自己認識が行われ各機器のノードＩＤが割り当てられる。これらの処理は通常、ＰＨＹチップ（物理層）が行い、１つのＰＨＹチップに対して１つのノードＩＤが割り当てられる。
【００７６】
また、１３９４機器には、ノードＩＤとは別に、全世界で一意に存在する６４ビットのＧＵＩＤ（Global Unique Identifier）が割り当てられ、通常、ＧＵＩＤは、１つのノードに必ず１つ存在するＣｏｎｆｉｇｒａｔｉｏｎＲＯＭ（以下、ＣｏｎｆｉｇＲＯＭと省略する。）に入っている。図６の例では、機器Ａ，Ｂ、モニターＡ，Ｂの１３９４機器の各々に１つのＣｏｎｆｉｇＲＯＭが存在し、各ＣｏｎｆｉｇＲＯＭの中にＧＵＩＤが入っている。
【００７７】
モニターＢは、バスリセット後に１３９４機器の情報を取得する（番号７２参照）。具体的には、モニターＢは、ＣｏｎｆｉｇＲＯＭの取得、サブユニット情報（機器の機能を司る情報）の取得などを行う。上記のようにＣｏｎｆｉｇＲＯＭは、メーカー名、機器名、ＧＵＩＤなどの情報を持つ。
【００７８】
２．  モニターＢは、自身がコントロールできるサブユニットを持つ機器から、図５に示す機器機能情報テーブル６０を取得する。例えば、モニターＢがコントロールできるサブユニットを、機器Ａと機器Ｂがもっている場合には、図６の番号７３に示すように機器Ａと機器Ｂから図５に示す機器機能情報テーブル６０を取得する。
３．  モニターＢは、取得した機器機能情報テーブル６０の情報を基に、図３に示す機能別機器情報テーブル５０を更新する（番号７４参照）。
４．  モニターＢは、機能別機器情報テーブル５０を参照してＵＩ画面を更新する（番号７５参照）。
【００７９】
以上、モニターＢを接続した場合を例に採り説明したが、機器Ａ，Ｂ及びモニターＢが接続されているときに、モニターＡやその他のモニターを接続した場合も同様の機器接続シーケンスとなる。
【００８０】
〔機能選択〕
図７は、本実施の形態による機器制御システムの機能選択シーケンスを示す図であり、モニターＡ，Ｂに接続された機器Ａ〜Ｃの、任意の機能を選択して使用する処理を示す。図７では、モニターＢにより選択された機器Ａについての機能選択を例に採るが、同様の機能選択がモニターＡやその他のモニターにより行われ、また複数の機能を持つ機器が同様の機能選択を行うことは勿論である。
１．  モニターＢは、ユーザが選択した機器に対して、機能選択要求を行う。ここでは、
ユーザが複数の機能を有する機器Ａの機能を選択したものとする（番号９０参照）と、モニターＢは、機器Ａに対して機能選択要求を行う（番号９１参照）。
２．  機器Ａは、機能選択応答として、その機能が使用できるか否かをモニターＢに返す（番号９２参照）。
３．  機器Ａは、図５に示す機器機能情報テーブル６０を更新する（番号９３参照）。
４．  機器Ａは、機能選択が成功した場合（番号９４参照）、全てのモニターに機器情報通知を送信する（番号９５参照）。なお、機能選択が成功しなかった場合には機器情報通知は送信されず、各モニターにおける機能別機器情報テーブル５０の更新は行われない。この機能選択判定の詳細については、図８のフローにより後述する。
５．  各モニターＡ，Ｂは、取得した機能情報の情報を基に、図３に示す機能別機器情報テーブル５０を更新する（番号９６Ａ，９６Ｂ参照）。
６．  各モニターＡ，Ｂは、機能別機器情報テーブル５０を参照してＵＩ画面を更新する（番号９７Ａ，９７Ｂ参照）。
【００８１】
図８は、機能選択の成否判定と機器機能情報テーブル６０更新を示すフローチャートであり、本フローは受信装置２０の制御データ管理部２２（図２）を構成するＣＰＵにより実行される。図中、Ｓはフローの各ステップを示す。なお、本フローは、図７と同様に、機器Ａによる機能選択を例に採ったものであるが機器Ｂや図示しない被制御機器についても同様の処理が行われる。
【００８２】
機器Ａの機能Ｘ（Ｘは目標とする機能）の選択フローがスタートすると、まず、ステップＳ１で機器Ａの機能Ｘの使用可能フラグＤ(A)Ｕflag(x)がＯＫかＮＧかを判別する。Ｄ(A)Ｕflag(x)がＮＧのときは、ステップＳ２で機能Ｘ選択失敗と判断して、この機能Ｘ選択失敗結果を機能Ｘ選択応答としてモニターに返す（ステップＳ３）。図７の例では、機器Ａは、機能選択応答として、機能Ｘが使用できないことをモニターＢに返す。
【００８３】
上記ステップＳ１でＤ(A)Ｕflag(x)がＯＫのときは、ステップＳ４で機能Ｘ選択成功と判断して機器Ａの機能Ｘの使用中ユーザ数Ｄ(A)Ｕ(x)をインクリメントし、ステップＳ５で機器Ａの機能Ｘの使用中ユーザ数Ｄ(A)Ｕ(x)が機器Ａの機能Ｘの最大使用ユーザ数Ｄ(A)Ｕmax(x)となったか否かを判別する。Ｄ(A)Ｕ(x)≠Ｄ(A)Ｕmax(x)のときは、機能Ｘ選択成功を機能Ｘ選択応答としてモニターに返す（ステップＳ３）。図７の例では、機器Ａは、機能選択応答として、機能Ｘが使用できることをモニターＢに返す。
【００８４】
Ｄ(A)Ｕ(x)＝Ｄ(A)Ｕmax(x)のときは、ステップＳ６で機器Ａの機能Ｘの使用可能フラグＤ(A)Ｕflag(x)をＮＧとし（Ｄ(A)Ｕflag(x)＝ＮＧ）、カウンタｉを初期化する（ｉ＝０）。
【００８５】
次いで、ステップＳ７でカウンタｉが機器Ａの機能数Ｄ(A)Ｆより小さいか（ｉ＜Ｄ(A)Ｆか）否かを判別し、ｉ≧Ｄ(A)Ｆのときは、機能Ｘ選択成功を機能Ｘ選択応答としてモニターに返す（ステップＳ３）。ｉ＜Ｄ(A)Ｆのときは、ステップＳ８で機器Ａの機能Ｘと機能ｉの同時使用情報Ｄ(A)Sim(x,i)がＯＫかＮＧかを判別する。Ｄ(A)Sim(x,i)＝ＮＧのときは、ステップＳ９で機器Ａの機能ｉの使用可能フラグＤ(A)Ｕflag(i)をＮＧとし（Ｄ(A)Ｕflag(i)＝ＮＧ）、ステップＳ１０でカウンタｉをインクリメントしてステップＳ７に戻る。ステップＳ８でＤ(A)Sim(x,i)＝ＯＫのときは、そのままステップＳ１０に進む。
【００８６】
このように、本フローでは、例えば図７の番号８１に示すようにモニターＢから機器Ａに対して機能Ｘの選択が要求されたとき、機能Ｘが使用可能であれば、機能Ｘの選択は成功として使用中ユーザ数Ｄ(A)Ｕ(x)を１増やす（ステップＳ１〜Ｓ４）。もし、機器Ａの機能Ｘの最大使用ユーザ数Ｄ(A)Ｕmax(x)と使用中ユーザ数Ｄ(A)Ｕ(x)が等しくなれば（ステップＳ５）、機能Ｘと同時に使用できない機能を使用不能にする選択の応答を返す（ステップＳ６〜Ｓ１０）。
【００８７】
上記図６乃至図８の機器接続及び機能選択処理を実行することにより、具体的には、図９乃至図１３に示す機器の機能に対する使用権設定動作が実現される。
【００８８】
図９は、本実施の形態の機器制御システムのモニターのＵＩ画面を説明する図である。
本実施の形態の機器制御システムは、機器に使用権を設定するのではなく、機器の機能に対して使用権を設定し、使用権を獲得したモニターのみ、その機能を使用できるようにするものである。本実施の形態では、モニターは機能別機器情報テーブル５０を、機器は機器機能情報テーブル６０を持ち、機器の機能の使用権を獲得するには、モニターのＵＩ画面から機能を選択し、その後機器を選択する（図７及び図８参照）。
【００８９】
図９（ａ）は、ユーザに提示されるモニターＡのＵＩ画面である。このＵＩ画面には、機器Ａ〜Ｃが備える複数の機能がＧＵＩ表示される。以下の説明では、機器Ａ〜Ｃは、ＨＤＤレコーダからなるＡＶＨＤＤ機能、ＤＶＨＳデッキなどのＤ−ＶＨＳ機能、デジタルチューナを含むチューナなどのＴＵＮＥＲ機能を備えている。上記各機能は、機器Ａ〜Ｃのうち少なくとも１つが複数の機能を持つものでもよいし、同一機能を機器Ａ〜Ｃが重複して持つものでもよい。ここでは、説明の簡略化のため、チューナはＴＵＮＥＲ機能に、またＡＶ記録再生装置はＡＶＨＤＤ機能にまとめているが、チューナは、衛星放送用チューナ、地上デジタルチューナ、アナログチューナなどに、またＡＶＨＤＤ記録再生は、ＨＤ記録再生又はＳＤ記録再生専用、記録媒体の種別毎に更に細分化された機能に分類することが好ましい。
【００９０】
ユーザがリモコン装置１によりモニターＡに対して使用権設定を指示すると、ユーザには図９（ａ）に示すＵＩ画面が提示される。このＵＩ画面は、図２に示す受信装置２０の制御データ管理部２２が受信機情報記録部２３に保存されている機能別機器情報テーブル５０の情報を参照して、現在ネットワーク３に接続されている機器Ａ〜Ｃの機能を機能毎に取り出し、ＧＵＩ画面合成部２４によりＵＩ画面を合成表示させたものである。ここで、ネットワーク３は、１３９４ネットワークであるため、モニターＡ，Ｂ又は機器Ａ〜Ｃの取外し／接続、又は電源投入／リセットなどが行われると、図６に示すバスリセットが発生し、図６に述べた制御シーケンスに従って機能別機器情報テーブル５０の更新が行われることになる。以下の説明では、機能別機器情報テーブル５０には現在ネットワーク３に接続されている最新の機能別機器情報が保存されているものとする。
【００９１】
図９（ａ）のＵＩ画面において、機器Ａ〜Ｃが備える複数の機能は、ＡＶＨＤＤ、Ｄ−ＶＨＳ、ＴＵＮＥＲであり、「機能を選択してください」のメッセージとともに、表示装置１０のＡＶデータ表示部１２（図２）にＧＵＩ表示される。ユーザはリモコン装置１で使用したい機能を選択することができる。なお、従来例では、図１８（ｃ）に示したように、使用したい機器を選択し、機器に使用権を設定するものであった。
【００９２】
図９（ａ）のＵＩ画面において、ユーザがＡＶＨＤＤ機能を選択すると、図９（ｂ）に示すＡＶＨＤＤ機能を持つ機器のＵＩ画面に移行する。同様に、ユーザがＤ−ＶＨＳ機能を選択すると、図９（ｃ）に示すＤ−ＶＨＳ機能を持つ機器のＵＩ画面に移行し、またＴＵＮＥＲ機能を選択すると、図９（ｄ）に示すＴＵＮＥＲ機能を持つ機器のＵＩ画面に移行する。
【００９３】
図９（ｂ）のＡＶＨＤＤ機能のＵＩ画面では、ＡＶＨＤＤ機能を備える機器は、機器Ａと機器Ｃであり、「機器を選択してください」のメッセージとともに、メーカー名を付けて機器Ａと機器Ｃを表示装置１０のＡＶデータ表示部１２にＧＵＩ表示する。
【００９４】
図９（ｃ）のＤ−ＶＨＳ機能のＵＩ画面では、Ｄ−ＶＨＳ機能を備える機器は、機器Ｂのみであり、「機器を選択してください」のメッセージとともに、メーカー名を付けて機器ＢをＧＵＩ表示する。
【００９５】
図９（ｄ）のＴＵＮＥＲ機能のＵＩ画面では、ＴＵＮＥＲ機能を備える機器は、機器Ａと機器Ｂであり、「機器を選択してください」のメッセージとともに、メーカー名を付けて機器Ａと機器ＢをＧＵＩ表示する。
【００９６】
このように、本機器制御システムは、まずモニターＡ，Ｂに接続された機器Ａ〜Ｃが、どのような機能を持っているかが図９（ａ）のＵＩ画面に表示され、ユーザが所望の機能を選択すると、選択された機能を備える機器が図９（ｂ）〜（ｄ）のＵＩ画面に表示される。ここでは、機器Ａは、ＡＶＨＤＤ機能とＴＵＮＥＲ機能の２つの機能を備えているため、図９（ｂ）のＡＶＨＤＤ機能のＵＩ画面と図９（ｄ）のＴＵＮＥＲ機能のＵＩ画面とに表示される。また、機器Ｂは、Ｄ−ＶＨＳ機能とＴＵＮＥＲ機能の２つの機能を備えているため、図９（ｃ）のＤ−ＶＨＳ機能のＵＩ画面と図９（ｄ）のＴＵＮＥＲ機能のＵＩ画面とに表示される。なお、ＵＩ画面に表示する機能及び機器の表示の優先順位は、どのようなものでもよいが、本例ではネットワーク３に接続された機器接続シーケンス順である機器Ａ，機器Ｂ，機器Ｃの順とした。ユーザが行った機器の接続順をそのまま表示することがユーザにとって直感的に理解しやすいとの配慮による。但しこれは一例であり、使用頻度が高い機能又は機器を上位に表示したり、機能が同じ場合、より高性能の機器を上位に表示したりする態様でもよい。このような優先順位を付けた表示は、図２に示す受信装置２０の制御データ管理部２２によって実現される。
【００９７】
図１０は、本実施の形態の機器制御システムの具体的動作を説明する図であり、図１０（ａ）は、同じ機器の使用されていない機能を使用する動作例を示し、図１０（ｂ）は、その場合のモニターＢにおける機能のＵＩ画面を示し、図１０（ｃ）は、その選択された機能を備える機器のＵＩ画面を示す。また、図１１（ａ）は、機器Ａの機器機能情報テーブルを示し、図１１（ｂ）は、機器Ｂの機器機能情報テーブルを示し、図１１（ｃ）は、モニターＢの機能別機器情報テーブルを示す。
【００９８】
図９で述べたように、機器Ａは、ＡＶＨＤＤ機能とＴＵＮＥＲ機能の２つの機能を備え、機器Ｂは、Ｄ−ＶＨＳ機能とＴＵＮＥＲ機能の２つの機能を備えている。
【００９９】
いま、モニターＡは、機器ＡのＡＶＨＤＤ機能の使用権を獲得してＡＶＨＤＤ機能を使用し、ＡＶＨＤＤ再生映像を表示している（番号５０１参照）。この時の機器Ａの機器機能情報テーブルは図１１（ａ）に示すように、ＡＶＨＤＤ機能の使用可能フラグがＮＧになっている。
【０１００】
この状態で、ユーザがモニターＢを使ってＴＵＮＥＲ機能を使用しようとする場合、ユーザはモニターＢに対してリモコン装置１ｂ（図１）による機能選択操作を行う。すると、図１０（ｂ）に示すように、モニターＢの表示装置１０ｂのＡＶデータ表示部１２には、モニターＡ，Ｂに接続された機器の機能がＵＩ画面に表示される。ユーザは図１０（ｂ）に示す機能のＵＩ画面からリモコン操作によりＴＵＮＥＲ機能を選択し決定キー（実行キー）を押すと、図１０（ｃ）に示すＴＵＮＥＲ機能を持つ機器のＵＩ画面に移行する（番号５０１参照）。
【０１０１】
図１１（ｃ）に示すように、ＴＵＮＥＲ機能を持つ機器は機器Ａと機器Ｂがあり、しかもどちらの機器も使用可能フラグがＯＫなので、図１０（ｃ）に示すＵＩ画面では、機器Ａ、機器Ｂともに機能を選択できないことを表すマーク（×）は表示されていない。したがって、ユーザはＴＵＮＥＲ機能を使用できる機器として機器Ａと機器Ｂのいずれも選択することができる。
【０１０２】
ここで、モニターＢがユーザによる図１０（ｂ）のＴＵＮＥＲ機能の選択から図１０（ｃ）に示すＴＵＮＥＲ機能を持つ機器のＵＩ画面表示を行うまでの処理について説明する。図６及び図７に示すフローチャートに従って、図１１（ａ）（ｂ）に示す機器期能情報テーブルを取得することによって、図１１（ｃ）に示す機能別機器情報テーブルを更新されると、制御データ管理部２２は、この判断結果に従ってＧＵＩ画面合成部２４によりＵＩ画面を表示させる。
【０１０３】
ユーザは図１０（ｃ）に示すＵＩ画面を見ることで、機器Ａ、機器Ｂのいずれを選択してもＴＵＮＥＲ機能を使用できることが分る。ユーザが機器ＡのＴＵＮＥＲ機能を選択した場合、機器ＡのＴＵＮＥＲ機能に使用権を設定してＴＵＮＥＲ機能を使用し、ＴＵＮＥＲ受信映像を表示することができる（番号５０３参照）。ユーザは機器Ａ、機器ＢのいずれのＴＵＮＥＲ機能も選択することができるが、例えば機器Ａがデジタル／アナログチューナ、機器Ｂがアナログチューナでありユーザはデジタル放送番組を受信したい場合には、ユーザは機器ＡのＴＵＮＥＲ機能を選択する必要がある。
【０１０４】
本実施の形態の機器制御システムは、機能に対して使用権を設定するので、同じ機器の使用されていない機能を使用することができる。例えば、機器ＡがＡＶＨＤＤ機能とＴＵＮＥＲ機能の複数機能を持っている場合、モニターＡにより機器ＡのＡＶＨＤＤ機能に使用権が設定され使用されている状況にあっても、モニターＢはモニターＡが使用していないＴＵＮＥＲ機能に使用権を設定し使用することができる。このように、モニターＡ，Ｂは機器Ａのすべての機能を有効利用することができる。
【０１０５】
図１２は、本実施の形態の機器制御システムの具体的動作を説明する図であり、図１２（ａ）は、同じ機器の使用されている機能を使用しようとする動作例を示し、図１２（ｂ）は、その場合のモニターＢにおける機能のＵＩ画面を示し、図１２（ｃ）は、その選択された機能を備える機器のＵＩ画面を示す。機器Ａの機器機能情報テーブルに関しては図１１（ａ）と、機器Ｂの機器機能情報テーブルに関しては図１１（ｂ）と、モニターＢの機能別機器情報テーブルに関しては図１１（ｃ）と同じである。
【０１０６】
図９で述べたように、機器Ａは、ＡＶＨＤＤ機能とＴＵＮＥＲ機能の２つの機能を備え、機器Ｂは、Ｄ−ＶＨＳ機能とＴＵＮＥＲ機能の２つの機能を備えている。
【０１０７】
いま、モニターＡは、機器ＡのＡＶＨＤＤ機能の使用権を獲得してＡＶＨＤＤ機能を使用し、ＡＶＨＤＤ再生映像を表示している（番号５０１参照）。この時の機器Ａの機器期能情報テーブルは図１１（ａ）に示すように、ＡＶＨＤＤ機能の使用可能フラグがＮＧになっている。
【０１０８】
この状態で、ユーザがモニターＢを使ってＡＶＨＤＤ機能を使用しようとする場合、ユーザはモニターＢに対してリモコン装置１ｂ（図１）による機能選択操作を行う。すると、図１２（ｂ）に示すように、モニターＢの表示装置１０ｂのＡＶデータ表示部１２には、モニターＡ，Ｂに接続された機器の機能がＵＩ画面に表示される。ユーザは図１２（ｂ）に示す機能のＵＩ画面からリモコン操作によりＡＶＨＤＤ機能を選択し決定キー（実行キー）を押すと、図１２（ｃ）に示すＡＶＨＤＤ機能を持つ機器のＵＩ画面に移行する（番号５０４参照）。
【０１０９】
図１１（ｃ）に示すように、ＡＶＨＤＤ機能を持つ機器は機器Ａだけである。しかし、機器Ａの使用可能フラグはＮＧなので、図１２（ｃ）に示すＵＩ画面では、機器Ａに機能を選択できないことを表すマーク（×）が表示される。したがって、ユーザはＡＶＨＤＤ機能を備える機器には機器Ａがあるが、現在は機器ＡのＡＶＨＤＤ機能は使用できない。
【０１１０】
ここで、モニターＢがユーザによる図１２（ｂ）のＡＶＨＤＤ機能の選択から図１２（ｃ）に示すＡＶＨＤＤ機能を持つ機器のＵＩ画面表示を行うまでの処理について説明する。図６及び図７に示すフローチャートに従って、図１１（ａ）（ｂ）に示す機器期能情報テーブルを取得することによって、図１１（ｃ）に示す機能別機器情報テーブルを更新されると、制御データ管理部２２は、この判断結果に従ってＧＵＩ画面合成部２４によりＵＩ画面を表示させる。
【０１１１】
ユーザは図１２（ｃ）に示すＵＩ画面を見ることで、機器ＡのＴＵＮＥＲ機能は現在使用できないことが分る。モニターＡが機器ＡのＡＶＨＤＤ機能の使用権を獲得しているため、モニターＢは機器ＡのＡＶＨＤＤ機能を使用することはできない（番号５０５参照）。
【０１１２】
本実施の形態の機器制御システムは、機能に対して使用権を設定するので、図１２に示すように同じ機器の使用されている機能は使用できないものの、従来例の機器に使用権を設定するものとは異なり、モニターＡによって機器ＡのＡＶＨＤＤ機能が使用されていても、モニターＢから機器ＡのＴＵＮＥＲ機能を使用することができる。このように、モニターＡ，Ｂは機器Ａのすべての機能を有効利用することができる。
【０１１３】
図１３は、本実施の形態の機器制御システムの具体的動作を説明する図であり、図１３（ａ）は、同じ機器の機能が同時に使用できないと設定されている動作例を示し、図１３（ｂ）は、その場合の機能１のＵＩ画面を示し、図１３（ｃ）は、その場合の機能２のＵＩ画面を示す。また、図１４（ａ）は、機器Ａの機器機能情報テーブルを示し、図１４（ｂ）は、機器Ｂの機器機能情報テーブルを示し、図１４（ｃ）は、モニターＢの機能別機器情報テーブルを示す。
【０１１４】
図９で述べたように、機器Ａは、ＡＶＨＤＤ機能とＴＵＮＥＲ機能の２つの機能を備え、機器Ｂは、Ｄ−ＶＨＳ機能とＴＵＮＥＲ機能の２つの機能を備えている。
【０１１５】
いま、モニターＡは、機器ＡのＡＶＨＤＤ機能の使用権を獲得してＡＶＨＤＤ機能を使用し、ＡＶＨＤＤ再生映像を表示している（番号５０１参照）。この時の機器Ａの機器機能情報テーブルは図１４（ａ）に示すように、ＡＶＨＤＤ機能の使用可能フラグがＮＧになっている。また、ＡＶＨＤＤとＴＵＮＥＲの同時使用はＮＧとなっているため、ＴＵＮＥＲ機能の使用可能フラグもＮＧになっている。
【０１１６】
図１４（ｃ）に示すように、ＡＶＨＤＤ機能を持つ機器は機器Ａだけである。しかし、機器Ａの使用可能フラグはＮＧなので、機能選択画面から、ＡＶＨＤＤ機能を選択すると、図１３（ｂ）に示すＵＩ画面に遷移し、機器Ａに機能を選択できないことを表すマーク（×）が表示される。
【０１１７】
同様に、ＴＵＮＥＲ機能を持つ機器は機器Ａと機器Ｂがある。しかし、機器Ａの使用可能フラグはＮＧ、機器Ｂの使用可能フラグはＯＫなので、機能選択画面から、ＴＵＮＥＲ機能を選択すると、図１３（ｃ）に示すＵＩ画面に遷移し、機器Ａに機能を選択できないことを表すマーク（×）が表示される。
【０１１８】
ユーザは図１３（ｂ）（ｃ）に示すＵＩ画面を見ることで、機器ＡのＡＶＨＤＤ機能及びＴＵＮＥＲ機能は現在使用不能であることを知る（番号５０６参照）。
【０１１９】
本実施の形態の機器制御システムは、機能に対して使用権を設定するものであるが、複数機能を持つ機器の同時使用を不許可にするフラグを実装することで、先願例の機器に使用権を設定するものと同様な制御を実現することができる。また、フラグ設定を変えることで直ちに、機器の使用権の設定から機器の機能の使用権への設定に相互に移行することができ、機器使用に際して自由度を高めることができる。
【０１２０】
上述した本実施の形態の機器制御システムでは、それぞれの機器が機能使用情報を持ち、機能に対して使用権を設定する例について説明したが、機能の使用権設定手段を新たに設置する管理装置に持たせるものでもよい。
【０１２１】
図１５は、本発明の他の実施の形態の機器制御システムの全体構成を示すブロック図である。図１と同一構成部分には同一符号を付して重複部分の説明は省略する。
【０１２２】
図１５において、本実施の形態の機器制御システムは、ネットワーク３に接続されたモニターＡ，Ｂからの機器Ａ〜Ｃの機能に関する使用要求に対して、機能使用情報を基に、機器Ａ〜Ｃの機能に対する使用権を付与する調整を行う管理装置６００を新たに備える。また、管理装置６００は、ネットワーク３に接続された機器Ａ〜Ｃ及びその機能をモニターＡ，ＢのＵＩ画面から操作するため、モニターＡ，ＢのＵＩ画面から機器Ａ〜Ｃの機能を選択し、さらに選択された機能を備える機器Ａ〜ＣをＵＩ画面に表示し、該ＵＩ画面から機器Ａ〜Ｃを選択する制御を行う。
【０１２３】
管理装置６００は、図１の機器制御システムでは、それぞれの機器が持っていた機能使用情報と機器の使用権設定機能を、それぞれの機器から分離し一元管理するものである。また、機能使用情報と機器の使用権設定の内容は、前述した実施の形態の機器制御システムと同様である。具体的には、管理装置６００は、モニターＡ，Ｂの受信装置２０の制御データ管理部２２及び機能別機器情報テーブル５０（図６）を有する受信機情報記録部２３に対応する機能と、機器Ａ〜Ｃの送信装置３０の制御データ管理部３３及び機器機能情報テーブル６０（図５）を有する受信機情報記録部３４に対応する機能とを備え、図６乃至図８で述べた機器接続シーケンス、機能選択シーケンス、機能選択の成否判定、使用権の設定及びテーブル更新の各処理を実行する。
【０１２４】
以上のように、本実施の形態の機器制御システムは、モニターＡ，Ｂにより制御される機器Ａ〜Ｃの少なくとも１つは複数の機能を備えており、モニターＡ，Ｂが機能別に分けられた機器情報を保存する機能別機器情報テーブル５０を、また機器Ａ〜Ｃが機能使用情報を保存する機器機能情報テーブル６０を持ち、モニターＡ，Ｂは機能別機器情報テーブル５０を参照して機器の機能及び選択された機能を備える機器をＵＩ画面表示する。使用権を獲得するには、ユーザがリモコン装置１によりモニターＡ，ＢのＵＩ画面から機能を選択し、モニターＡ，Ｂからの機器の機能に関する使用要求に対して、該当機器が、機器機能情報テーブル６０に保存された機能使用情報を基に、機器の使用可能／不能を判定し、その判定結果をモニターＡ，Ｂに応答する。機能の使用権設定要求を行ったモニターが該当機能の使用可能の応答を受け取ることで使用権を獲得し、使用権を獲得したモニターのみ、その機能を使用できる。これにより、モニターが機器のある機能を使用している場合であっても、他のモニターは当該機器の未使用の機能を使用することができ、複数の機能を有する機器の機能の有効利用が実現できる。
【０１２５】
また、ＵＩ画面から機能を選択し、選択された機能を備える機器を、選択可否情報と共にＵＩ画面に表示するので、ユーザは使用したい機能を選択するだけでよく、ユーザにとって使いやすいシステムとなっている。すなわち、ユーザは通常、ある機能を使用しようとして機器を選択するので、ＵＩ画面から機能を選択し、選択された機能を備える機器をＵＩ画面から選択する操作は自然で違和感のないものである。
【０１２６】
なお、上記実施の形態に係る機器制御システムを、上述したようなデジタルテレビジョン等の表示装置と１３９４規格を利用したＡＶ機器（ＢＳデジタルチューナ、ＤＶＨＳデッキ、デジタルビデオカメラ等）に適用することもできるが、制御機器及び被制御機器とも適用する機器は何でもよい。また、１３９４規格を利用したＡＶ機器に限定されるものではない。
【０１２７】
すなわち、機器制御システムによって制御される機器は、どのようなものでもよく、ＡＶ機器やＡＶ関連機器、パソコン等の情報処理装置など何でもよい。また、記録装置の種類や記録方法等は限定されず、全ての装置に適用可能である。例えば、ＣＳチューナや、記録装置として、ＶＴＲ（Video Tape Recorder）のほか、ＨＤＤやＤＶＤ（Digital Versatile Disk）に記録するものでもよい。
【０１２８】
また、機器制御システムという名称を用いたが、これは説明の便宜上であり、例えば機器コントロールシステム、管理端末、機器制御方法等であってもよい。
【０１２９】
また、複数の（２つの）モニターと複数の（３つの）ＡＶ機器について述べてきたが、これ以上、又はこれ以下の機器がネットワーク３に接続されている場合でも構わない。
【０１３０】
さらに、上記機器制御システムを構成する各回路部、例えば通信部、記憶部等の種類、数及び接続方法などは前述した実施の形態に限られない。
【０１３１】
以上説明した管理装置及び機器制御システムは、この管理装置及び機器制御システムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【産業上の利用可能性】
【０１３２】
対象はビデオ及びテレビの他に、種々の電子機器、例えば、ＰＣとディスプレイ装置、携帯端末とディスプレイ装置、ＰＣ又は携帯端末と種々の家電機器などが対象となる。なお、受信機と送信機とが共用の場合も本発明の範疇に入るものとする。
【図面の簡単な説明】
【０１３３】
【図１】本発明の実施の形態の機器制御システムの全体構成を示すブロック図である。
【図２】本実施の形態の機器制御システムのモニターの表示装置及び受信装置の構成例を示すブロック図である。
【図３】本実施の形態の機器制御システムのモニターが持つ機能別機器情報テーブルの一例である。
【図４】本実施の形態の機器制御システムの機器の送信装置及び被制御機器の構成例を示すブロック図である。
【図５】本実施の形態の機器制御システムのモニターにより操作される機器が持つ機器機能情報テーブルの一例である。
【図６】本実施の形態の機器制御システムの機器接続シーケンスを示す図である。
【図７】本実施の形態の機器制御システムの機能選択シーケンスを示す図である。
【図８】本実施の形態の機器制御システムの機能選択の成否判定と機器機能情報テーブル更新を示すフローチャートである。
【図９】本実施の形態の機器制御システムのモニターのＵＩ画面を説明する図である。
【図１０】本実施の形態の機器制御システムの具体的動作を説明する図である。
【図１１】本実施の形態の機器制御システムの具体的動作を説明するテーブルを示す図である。
【図１２】本実施の形態の機器制御システムの具体的動作を説明する図である。
【図１３】本実施の形態の機器制御システムの具体的動作を説明する図である。
【図１４】本実施の形態の機器制御システムの具体的動作を説明するテーブルを示す図である。
【図１５】本発明の他の実施の形態の機器制御システムの全体構成を示すブロック図である。
【図１６】従来方式の機器制御システムを説明する図である。
【図１７】従来方式の機器制御システムの問題点を説明する図である。
【図１８】先願の機器制御システムの概要を説明する図である。
【図１９】複数機能を持つ機器の機器制御システムの概要を説明する図である。
【符号の説明】
【０１３４】
１，１ａ，１ｂ  リモコン装置
３  ネットワーク
４  制御線
１０，１０ａ，１０ｂ  表示装置
２０，２０ａ，２０ｂ  受信装置
２１  リモコン受光部
２２  制御データ管理部（管理手段）
２３  受信機情報記録部（記憶手段）
２４  ＧＵＩ画面合成部
２５  ＡＶデータ出力部
２６  制御データ送受信部
２７  ＡＶデータ受信部
２８  ネットワーク送受信部
３０，３０ａ〜３０ｃ  送信装置
３１  ネットワーク送受信部
３２  制御データ送受信部
３３  制御データ管理部（管理手段）
３４  送信機情報記録部（記憶手段）
３５  制御データ入出力部
３６  ＡＶデータ送信部
３７  ＡＶデータ入力部
４０，４０ａ〜４０ｃ  被制御機器
４１  制御データ入出力部
４２  制御データ管理部
４３  機器情報記録部
４４  ＡＶデータ出力部
４５  ＡＶデータ再生部
４６  ＡＶデータ記録部
４７  チューナ
５０  機能別機器情報テーブル
６０  機器機能情報テーブル
６００  管理装置
Ａ，Ｂ  モニター（制御機器）
Ａ〜Ｃ  機器（被制御機器）
【図１】
2006042064.tif 000003
【図２】
2006042064.tif 000004
【図３】
2006042064.tif 000005
【図４】
2006042064.tif 000006
【図５】
2006042064.tif 000007
【図６】
2006042064.tif 000008
【図７】
2006042064.tif 000009
【図８】
2006042064.tif 000010
【図９】
2006042064.tif 000011
【図１０】
2006042064.tif 000012
【図１１】
2006042064.tif 000013
【図１２】
2006042064.tif 000014
【図１３】
2006042064.tif 000015
【図１４】
2006042064.tif 000016
【図１５】
2006042064.tif 000017
【図１６】
2006042064.tif 000018
【図１７】
2006042064.tif 000019
【図１８】
2006042064.tif 000020
【図１９】
2006042064.tif 000021